(57)【特許請求の範囲】
【請求項１】
銅等の導電性材料よりなる導電接続部材（Ａ）を介し、接続電線（Ｂ）を合成樹脂等適宜材料より成形した絶縁性材料よりなる保持部材（Ｃ）に固定し、保持部材（Ｃ）を小型電機部品に取り付けた際に、導電接続部材（Ａ）を介し、接続電線（Ｂ）を小型電機部品に接続する小型電機部品に使用する端子接続構造において、
導電接続部材（Ａ）は、板状材よりなり、基端部を起立した基端側接続板（１０）と、基端側接続板（１０）の折曲部から先端方向の両脇に設け、基端側接続板（１０）と同方向に起立させた接続側板（１１）と、両接続側板（１１）の先端側端辺を延設し対向するように内方に折曲げ形成した先端側接続片（１２）と、導電接続部材（Ａ）の先端側を延長して形成した端子接続板（１３）とよりなり、
保持部材（Ｃ）は、導電接続部材（Ａ）を内方に固定する導電接続部材収納部（２０）と、導電接続部材（Ａ）を収納固定時に導電接続部材（Ａ）の接続側板１１を係止する導電接続部材係止部穴（２１）と、接続電線（Ｂ）の基端側端部を挿入し位置決めを行う接続電線基端部位置決部（２２）と、接続電線（Ｂ）の先端を挿入し位置決めを行う接続電線先端位置決穴（２３）とよりなり、
基端側接続板（１０）には、接続電線（Ｂ）の導線芯線部（ｂ１）の大きさより細い幅で、上端側先端部から形成している圧接溝（１００）を接続電線基端部位置決部（２２）の中心線と一致させて設け、
両接続側板（１１）の外側面には、導電接続部材（Ａ）を保持部材（Ｃ）に収納固定時に、保持部材（Ｃ）の導電接続部材係止部穴（２１）に係止する係止突起（１１０）を設け、
先端側接続片（１２）の内方に折曲げ形成した先端辺間により形成される先端側圧接隙間（１２０）を接続電線（Ｂ）の導線の大きさより細い幅で形成すると共に、前記保持部材（Ｃ）の接続電線先端位置決穴（２３）の中心線と一致させて設け、
導電接続部材（Ａ）の先端側圧接隙間（１２０）を収納終了時に漸次狭める方向に、接続側板１１の側面を押圧する幅に導電接続部材収納部（２０）を形成したことを特徴とする小型電機部品に使用する端子接続構造。
【請求項２】
銅等の導電性材料よりなる導電接続部材（Ａ）を介し、接続電線（Ｂ）を合成樹脂等適宜材料より成形した絶縁性材料よりなる保持部材（Ｃ）に固定し、保持部材（Ｃ）を小型電機部品に取り付けた際に、導電接続部材（Ａ）を介し、接続電線（Ｂ）を小型電機部品に接続する小型電機部品に使用する端子接続構造において、
導電接続部材（Ａ）は、板状よりなり、基端部を起立した基端側接続板（１０）と、基端側接続板（１０）の折曲部から先端方向の両脇に設け、接続側板１１と同方向に起立させた接続側板（１１）と、両接続側板（１１）の先端側端辺を対向するように内方に折曲げ形成した先端側接続片（１２）と、基端側接続板（１０）と接続側板（１１）に囲まれた導電接続部材（Ａ）に設けた切り込みを基端側接続板（１０）に対向し、かつ各先端側接続片（１２）と同一線上で起立させた先端側中央接続片（１４）と、導電接続部材（Ａ）の先端側を延長して形成した端子接続板（１３）とよりなり、
保持部材（Ｃ）は、導電接続部材（Ａ）を内方に固定する導電接続部材収納部（２０）と、導電接続部材（Ａ）を収納固定時に導電接続部材（Ａ）の接続側板（１１）を係止する導電接続部材係止部穴（２１）と、接続電線（Ｂ）の基端側端部を挿入し位置決めを行う対の接続電線基端部位置決部（２４）、（２５）と、接続電線（Ｂ）の先端を挿入し位置決めを行う接続電線先端位置決穴（２６）、（２７）とよりなり、
基端側接続板（１０）には、接続電線（Ｂ）の導線の大きさより細い幅で、上端側先端部から形成している圧接溝（１０１、１０２）を前記対の接続電線基端部位置決部（２４）、（２５）の各中心線と一致させて設け、
両接続側板（１１）の外側面には、導電接続部材（Ａ）を保持部材（Ｃ）に収納固定時に、保持部材（Ｃ）の導電接続部材係止部穴（２１）に係止する係止突起（１１０）を設け、
先端側接続片（１２）の内方に折曲げ形成した各先端辺間と先端側中央接続片（１４）の両端辺とにより形成される先端側圧接隙間（１２１）、（１２２）を接続電線（Ｂ）の導線芯線部（ｂ１）の大きさより細い幅で形成すると共に、前記保持部材（Ｃ）の接続電線先端位置決穴（２６）、（２７）の中心線と一致させて設け、
導電接続部材（Ａ）の先端側圧接隙間（１２１、１２２）を収納終了時に漸次狭める方向に、接続側板（１１）の側面を押圧する幅に導電接続部材収納部（２０）を形成したことを特徴とする小型電機部品に使用する端子接続構造。
【発明の詳細な説明】
【技術分野】
【０００１】
本発明は、小型の各種スイッチ等の電機部品に使用する配線接続用に使用する小型電機部品に使用する端子接続構造に関する。
【背景技術】
【０００２】
従来、接続線と電気機器との接続は、ハンダ付け等で行われるのが一般的であったが、近年作業の効率等から、圧接端子を用いることが行われてきた。例えば、特許文献１に示す技術では、電話機の屋内配線において電子機器の接続に用いるものであるが、リード線を導電板に設けているリード線保持溝内に圧入し、導電板とリード線を接続する構成である。そして、この技術ではリード線保持溝の幅を２段階として構成し２種類の線の太さに対応することが出来る構成となっている。接続はリード線をリード線保持溝内に圧入するときにリード線の導線部分の側面と、導通板のリード線保持溝で電気的導通を行っている。
【先行技術文献】
【特許文献】
【０００３】
【特許文献１】実開昭６３−８９６７２
【特許文献２】特開平９−２３２００９
【発明の概要】
【発明が解決しようとする課題】
【０００４】
上述のように、一般的な配線等に関しては、作業の効率等から、圧接端子を一般的に上記した先行技術１等に記載されているように、接続用の導通端子に、リード線、電線等より細い保持溝内にリード線、電線等を挿入して、リード線、電線等を潰し、或いは削る等しながら挿入固定して、導通状態を確保している。
一方、スイッチ等の電機部品等においては、微少電流の接続等であり、通常１ｍｍ以下の芯線或いはより線であり、必ずしも上記先行技術を適用すると、接続状態を完全とすることが出来ない場合があった。また、使用部位によっては振動等の悪環境下で使用する場合もあり、接続状態をより確実にする必要があった。
接続状態を完全とする為に、例えば特許文献２に記載の技術を利用することが出来る。この特許文献２に関する技術では、圧接溝に電線圧入後に圧接溝の開きを防止し、安定した圧接接続状態を維持する為に、帯板状圧接板の電線圧接溝の両側腕板先端を圧接溝の入口を閉じるように両腕板の先端を交差させ、相互に係合させる構成として圧接溝に電線圧入後に圧接溝の開きの防止を図っている。
しかしながら、特許文献２に示す技術では、帯板状圧接板の電線圧接溝の両側腕板先端を圧接溝の入口を閉じる作業が必要であり、作業効率が悪く、押しボタンスイッチ等の小型の電機部品等に適用する場合には、電機部品自体が小さく、非常に細かい部品となり、実質的に組み立てに熟練を要し、実質的に上記技術を適用することが出来ない。
本発明は、斯かる実情に鑑み、小型なスイッチ等の電機部品に対しても、適用することが出来、かつハンダ付け作業をすることなくコストの削減し、作業性の良好な小型電機部品に使用する端子接続構造を提供しようとするものである。
【課題を解決するための手段】
【０００５】
本発明は小型電機部品に使用する端子接続構造に係るものであり、
請求項１に記載の発明は、銅等の導電性材料よりなる導電接続部材Ａを介し、接続電線Ｂを合成樹脂等適宜材料より成形した絶縁性材料よりなる保持部材Ｃに固定し、保持部材Ｃを小型電機部品に取り付けた際に、導電接続部材Ａを介し、接続電線Ｂを小型電機部品に接続する小型電機部品に使用する端子接続構造において、導電接続部材Ａは、板状材よりなり、基端部を起立した基端側接続板１０と、基端側接続板１０の折曲部から先端方向の両脇に設け、基端側接続板１０と同方向に起立させた接続側板１１と、両接続側板１１の先端側端辺を対向するように内方に折曲げ形成した対の先端側接続片１２と、導電接続部材Ａの先端側を延長して形成した端子接続板１３とよりなり、保持部材Ｃは、導電接続部材Ａを内方に固定する導電接続部材収納部２０と、導電接続部材Ａを収納固定時に導電接続部材Ａの接続側板１１を係止する導電接続部材係止部穴２１と、接続電線Ｂの基端側端部を挿入し位置決めを行う接続電線基端部位置決部２２と、接続電線Ｂの先端を挿入し位置決めを行う接続電線先端位置決穴２３とよりなり、基端側接続板１０には、接続電線Ｂの導線の大きさより細い幅で、上端側先端部から形成している圧接溝１００を接続電線基端部位置決部２２の中心線と一致させて設け、両接続側板１１の外側面には、導電接続部材Ａを保持部材Ｃに収納固定時に、保持部材Ｃの導電接続部材係止部穴２１に係止する係止突起１１０を設け、対の先端側接続片１２の内方に折曲げ形成した先端辺間により形成される先端側圧接隙間１２０を接続電線Ｂの導線の大きさより細い幅で形成すると共に、前記保持部材Ｃの接続電線先端位置決穴２３の中心線と一致させて設け、導電接続部材Ａの先端側圧接隙間１２０を収納終了時に漸次狭める方向に、接続側板１１の側面を押圧する幅に導電接続部材収納部２０を形成したことを特徴とする。
【０００６】
また、請求項２に記載の発明は、銅等の導電性材料よりなる導電接続部材Ａを介し、接続電線Ｂを合成樹脂等適宜材料より成形した絶縁性材料よりなる保持部材Ｃに固定し、保持部材Ｃを小型電機部品に取り付けた際に、導電接続部材Ａを介し、接続電線Ｂを小型電機部品に接続する小型電機部品に使用する端子接続構造において、導電接続部材Ａは、板状よりなり、基端部を起立した基端側接続板１０と、基端側接続板１０の折曲部から先端方向の両脇に設け、基端側接続板１０と同方向に起立させた接続側板１１と、両接続側板１１の先端側端辺を延設し対向するように内方に折曲げ形成した先端側接続片１２と、基端側接続板１０と接続側板１１に囲まれた導電接続部材Ａに設けた切り込みを基端側接続板１０に対向し、かつ各先端側接続片１２と同一線上に起立させた先端側中央接続片１４と、導電接続部材Ａの先端側を延長して形成した端子接続板１３とよりなり、保持部材Ｃは、導電接続部材Ａを内方に固定する導電接続部材収納部２０と、導電接続部材Ａを収納固定時に導電接続部材Ａの接続側板１１を係止する導電接続部材係止部穴２１と、接続電線Ｂの基端側端部を挿入し位置決めを行う対の接続電線基端部位置決部２４、２５と、接続電線Ｂの先端を挿入し位置決めを行う接続電線先端位置決穴２６、２７とよりなり、基端側接続板１０には、接続電線Ｂの導線の大きさより細い幅で、上端側先端部から形成している圧接溝１０１、１０２を前記対の接続電線基端部位置決部２４、２５の各中心線と一致させて設け、両接続側板１１の外側面には、導電接続部材Ａを保持部材Ｃに収納固定時に、保持部材Ｃの導電接続部材係止部穴２１に係止する係止突起１１０を設け、先端側接続片１２の内方に折曲げ形成した各先端辺間と先端側中央接続片１４の両端辺とにより形成される先端側圧接隙間１２１、１２２を接続電線Ｂの導線の大きさより細い幅で形成すると共に、前記保持部材Ｃの接続電線先端位置決穴２６、２７の中心線と一致させて設け、導電接続部材Ａの先端側圧接隙間１２１、１２２を収納終了時に狭める方向に、接続側板１１の側面を押圧する幅に導電接続部材収納部２０を形成したことを特徴とする。
【０００７】
本発明によれば、銅等の導電性材料よりなる導電接続部材Ａを介し、接続電線Ｂを保持部材Ｃに固定するに際し、接続電線Ｂの基端側を保持部材Ｃの接続電線基端部位置決部２２に、接続電線Ｂの先端を接続電線先端位置決穴２３に挿入する。この後、導電接続部材Ａの基端側接続板１０、接続側板１１、及び先端側接続片１２で保持部材Ｃの収納部導電接続部材収納部２０内を蓋をするように、基端側接続板１０、接続側板１１、および先端側接続片１２をプライヤ等適宜工具で導電接続部材Ａに力を加えて収納する。この際、接続電線Ｂの基端側端部は、接続電線基端部位置決部２２で、先端側は接続電線先端位置決穴２３でそれぞれ支持されており、また、圧接溝１００及び先端側圧接隙間１２０を接続電線基端部位置決部２２、接続電線先端位置決穴２３の中心線と一致させて設けていることより、導電接続部材Ａを保持部材Ｃに固定すると接続電線Ｂの導線部分は、圧接溝１００又は先端側圧接隙間１２０内に装入されることになる。また、接続電線Ｂの導線の大きさより細い幅で圧接溝１００又は先端側圧接隙間１２０が、形成されていることより、接続電線Ｂの被覆部を切り内部の導線部分に喰い込みながら装着され、接続電線Ｂと導電接続部材Ａは完全に電気的に接続する。
【０００８】
更に、先端側圧接隙間１２０は導電接続部材Ａの先端側圧接隙間１２０を狭める方向に、接続側板１１の側面を押圧する幅に導電接続部材収納部２０を形成していることより、導電接続部材Ａを保持部材Ｃに収納完了時に導電接続部材Ａの先端側圧接隙間１２０を狭める方向に力が加わる為、接続電線Ｂとの電気的接続が確実となるように作用する。
【０００９】
また請求項２において、圧接溝１０１、１０２をそれぞれ接続電線基端部位置決部２４、２５の中心線と、また先端側圧接隙間１２１、１２２はそれぞれ接続電線先端位置決穴２６、２７の中心線と一致させて設けていることより、導電接続部材Ａを保持部材Ｃに固定すると接続電線Ｂの導線部分は、圧接溝１０１、１０２、又は先端側圧接隙間１２１、１２２内に装入されることになる。また、接続電線Ｂの導線の大きさより細い幅で圧接溝１０１、１０２又は先端側圧接隙間１２１、１２２が形成されていることより、接続電線Ｂの被覆部を切り内部の導線部分に喰い込みながら装着され、接続電線Ｂと導電接続部材Ａは、完全に電気的に接続する。従って、一つの導電接続部材Ａにいわゆる渡り配線に用いる２つの接続電線Ｂを取り付けることが出来る為、例えば、押しボタンスイッチ等の共通配線に利用出来る。
【発明の効果】
【００１０】
本発明の小型電機部品に使用する端子接続構造によれば、導電接続部材Ａと接続電線Ｂの接続が確実に行うことが出来、小型のスイッチ等の電機部品に対しても、適用することが出来、かつ作業性の良好な小型電機部品に使用する端子接続構造を提供することが出来るという優れた効果を奏し得る。
【図面の簡単な説明】
【００１１】
【図１】本発明の第１の実施形態に使用する導電接続部材の展開図である。
【図２】本発明の第１の実施形態に使用する導電接続部材の斜視図である。
【図３】本発明の第１の実施形態に使用する保持部材の斜視図である。
【図４】図３のｘ-ｘ線断面説明図である。
【図５】本発明の第１の実施形態に組み立て作業を示す説明図である。
【図６】本発明の第１の実施形態における導電接続部材と接続電線の接続部分の組み立て作業を示す説明図である。
【図７】本発明の第２の実施形態に使用する導電接続部材の展開図である。
【図８】本発明の第２の実施形態に使用する導電接続部材の斜視図である。
【図９】本発明の第２の実施形態に使用する保持部材の斜視図である。
【図１０】本発明を小型スイッチに適用した場合を示す斜視図である。
【発明を実施するための形態】
【００１２】
以下、本発明の実施の形態を、添付図面を参照して説明する。
図１〜６は、１本の接続電線Ｂを取り付ける場合の第１の実施の形態を示す例を説明するもので、本発明の小型電機部品に使用する端子接続構造は、銅等の導電性材料よりなる導電接続部材Ａを介し、接続電線Ｂを合成樹脂等適宜材料より成形した絶縁性材料よりなる保持部材Ｃに固定し、保持部材Ｃを小型電機部品に取り付けた際に、導電接続部材Ａを介し、接続電線Ｂを小型電機部品に接続する端子接続構造である。
【００１３】
＜導電接続部材Ａ＞
導電接続部材Ａは、銅等の導電性材料の板状体で形成し、図１に示すように、基端側から先端部分にかけて基端側接続板１０、対の接続側板１１、先端側接続片１２、端子接続板１３を打ち抜き加工等適宜方法で形成する。
基端側接続板１０には、一般に使用される接続電線Ｂの導線芯線部ｂ１の大きさより細い幅で、上端側先端部から形成している圧接溝１００を設けている。例えば、図５、図６に示す接続電線Ｂの導線芯線部ｂ１が、０．３〜０．５ｍｍ２の時は、圧接溝１００は、０．４ｍｍとしている。そして、基端側接続板１０は、この圧設溝１００を上方に開口するように起立して用いる。
【００１４】
接続側板１１は、前記基端側接続板１０の折曲部から先端方向に向かっての両脇にそれぞれ形成され、対向するように前記した基端側接続板１０と同方向に起立させて形成している。
この両接続側板１１の外側面には、それぞれ係止突起１１０が突設してあり、保持部材Ｃに設けている対の導電接続部材係止部穴２１にそれぞれ挿入され、導電接続部材Ａを保持部材Ｃに収納保持している。
【００１５】
先端側接続片１２は、両接続側板１１の先端側端辺を延設し形成し、内方に折曲げ基端側接続板１０と対向するように形成する。そして、先端側接続片１２の内方に折曲げ形成した各先端辺間により形成される先端側圧接隙間１２０は、前記圧設溝１００の中心線と同一線上に形成している。そして、この先端側圧接隙間１２０は、接続電線Ｂの導線芯線部ｂ１の大きさより細い幅で、前記圧接溝１００と同等、若しくはよりやや細い幅に形成する。
端子接続板１３は、導電接続部材Ａの先端側を延長して形成して図２に示す如く、やや曲線に形成し、導電接続部材Ａと保持部材Ｃを押しボタンスイッチの端子４０の接続に用いられる。
【００１６】
＜接続電線Ｂ＞
図５、図６に示す接続電線Ｂは、小型電機部品に使用する接続電線で、芯は導電性の銅等よりなる導線芯線部ｂ１よりなる単線、又はより線で形成されている。また外皮は、合成樹脂等の被覆材ｂ２により覆われている。
【００１７】
＜保持部材Ｃ＞
保持部材Ｃは、図３に示すように、例えばポリカーボネート等よりなる合成樹脂等適宜材料で成形した絶縁性材料よりなり、導電接続部材収納部２０と、導電接続部材係止部穴２１、接続電線基端部位置決部２２、接続電線先端位置決穴２３、及び端子接続板保持部２８が設けられている。
ここで、導電接続部材収納部２０は、前記した導電接続部材Ａを内方に収納しこれを安定的に収納する部分であり、導電接続部材Ａの基端側接続板１０、接続側板１１、先端側接続片１２を収納する形状に形成されている。そして導電接続部材Ａを確実に係止するために、接続側板１１の側面に設けている係止突起１１０を係止する係止部導電接続部材係止部穴２１が設けられ、導電接続部材Ａを電接続部材収納部２０から抜け出すことを防止している。
また、導電接続部材収納部２０の基端側端部には、接続電線基端部位置決部２２が設けられており、接続電線Ｂを挿入することで、位置決めが可能となっている。更に、導電接続部材収納部２０の先端側端部には、接続電線先端位置決穴２３が設けられており、接続電線Ｂの先端部を挿入することで、接続電線Ｂの位置決めが可能となっている。
【００１８】
また、接続電線先端位置決穴２３を設けている導電接続部材収納部２０の先端側の底部側面は、図４に示す如く開口幅（点線）をやや狭めてた幅、例えば０．２ｍｍ程度に形成し、導電接続部材Ａを挿着固定完了時に、対向して形成している先端側接続片１２の先端辺間により形成される先端側圧接隙間１２０を狭める力を加える構成となっている。
ここで、接続電線基端部位置決部２２、接続電線先端位置決穴２３は、位置に接続電線Ｂを位置決めして、導電接続部材Ａを保持部材Ｃに収納固定した時、前記した圧接溝１００と先端側圧接隙間１２０の中心位置が一致する位置に設けている。
【００１９】
また、導電接続部材収納部２０の先端部には、端子接続板保持部２８が設けられており、端子接続板１３を収納する部分となっている。そして、保持部材Ｃを押しボタンスイッチ４の電機機器に接続ホルダー４１を介し装着する時に、端子接続板１３と端子接続板保持部２８との間に端子４０を挟持し導通状態となる。
【００２０】
本発明は、上述のように構成し、接続電線Ｂの接続手順を説明する。
図５に示すように、まず導電接続部材Ａの基端側接続板１０、接続側板１１及び先端側接続片１２の先端を下方に向け、保持部材Ｃの導電接続部材収納部２０内に矢印方向から挿入する。このとき図５（ｂ）の位置で、接続側板１１の側面に設けている係止突起１１０が、保持部材Ｃの係止部導電接続部材係止部穴２１内に挿入され、図５（ｃ）の状態まで挿入可能となる。この状態で、導電接続部材Ａを挿入した保持部材Ｃを１８０度ひっくり返すと、図５（ｄ）に示す位置まで、接続側板１１の係止突起１１０が保持部材Ｃの係止部導電接続部材係止部穴２１内の端部まで移動し、接続電線基端部位置決部２２と接続電線先端位置決穴２３を結ぶ位置と、基端側接続板１０の圧接溝１００の先端、及び先端側接続片１２の先端側圧接隙間１２０の先端が干渉しない位置まで、導電接続部材Ａが下がる。この状態で接続電線Ｂを矢印方向から接続電線基端部位置決部２２、接続電線先端位置決穴２３に挿入する。
この状態のまま、或いは、ひっくり返して、図５（ｅ）（ｆ）に示すように、図示はしないが平行プライヤ、或いは通常のプライヤ等適宜道具を用いて、図５(e)の矢印方向に導電接続部材Ａを保持部材Ｃに挿入する。
【００２１】
図６は、上記導電接続部材Ａを保持部材Ｃの導電接続部材収納部２０内に固定する際に、１００が接続電線Ｂにくい込んでいくときの状態の説明図であり、圧設溝１００が接続電線Ｂの導線芯線部ｂ１より狭い幅となっていることより、接続電線Ｂの被覆材ｂ２に組み込みながら図６（ｂ）の時から、圧設溝１００が導電芯線部ｂ１に喰い込み始め、図６（ｃ）の位置で完全に喰い込みが完了する。
【００２２】
同様に、先端側圧接隙間１２０が接続電線Ｂの導線芯線部ｂ１より狭い幅となっていることより、接続電線Ｂの被覆材ｂ２に組み込み、図６（ｃ）の位置で完全に喰い込みが完了する。ここで、導電接続部材収納部２０の接続電線先端位置決穴２３を設けている先端側の底部が、開口幅をやや狭めてた幅に形成され、導電接続部材Ａを挿着固定完了時に、先端側圧接隙間１２０を狭める力が加えられ、接続電線Ｂの導線芯線部ｂ１と先端側圧接隙間１２０はより強固に電気的に接続される。
【００２３】
次に、図７〜９は、いわゆる渡り配線に用いる場合に共通端子等２本の接続電線Ｂを取り付ける場合に利用する第２の実施の形態を示す例を説明するもので、構成的には前記第１の銅等の導電性材料よりなる導電接続部材Ａを介し、接続電線Ｂを合成樹脂等適宜材料より成形した絶縁性材料よりなる保持部材Ｃに固定し、保持部材Ｃを小型電機部品に取り付けた際に、導電接続部材Ａを介し、接続電線Ｂを小型電機部品に接続する端子接続構造と同様であるが、２本の接続電線Ｂを接続する構成から、導電接続部材Ａに２本の圧設溝１０１、１０２に変更し、またこれに対応して２つの接続電線基端部位置決部２４、２５、及び接続電線先端位置決穴２６、２７に構成を変更している。
【００２４】
また、接続電線Ｂの先端側の圧接隙間を第１の実施の形態と同様に、固定時に力を加える構成とする必要から、以下のような構成としている。
即ち、導電接続部材Ａは、第１の実施形態と同様に、基端部を起立した基端側接続板１０と、基端側接続板１０の折曲部から先端方向の両脇に設け、対向するように前記した基端側接続板１０と同方向に起立させた対の接続側板１１と、両接続側板１１の先端側端辺を対向するように内方に折曲げ形成した先端側接続片１２と、基端側接続板１０と接続側板１１に囲まれた導電接続部材Ａに設けた切り込みを基端側接続板１０に対向し、かつ各先端側接続片１２と同一線上で起立させた先端側中央接続片１４と、導電接続部材Ａの先端側を延長して形成した端子接続板１３とより構成している。
基端側接続板１０には、圧設溝１０１、１０２が設けられており、先端側接続片１２の内方に折曲げ形成した各先端辺間と先端側中央接続片１４の両端辺とにより形成される幅縦長のスリット上の部分が、第１の実施の形態先端側圧接隙間１２０に対応する先端側圧接隙間１２１、１２２となり、圧設溝１０１、１０２、及び先端側圧接隙間１２１、１２２は同一直線上に形成する。
【００２５】
なお、圧設溝１０１、１０２、及び先端側圧接隙間１２１、１２２は、接続電線Ｂの導線の大きさより細い幅で形成すること、及び対の接続電線基端部位置決部２４、２５、及び接続電線先端位置決穴２６、２７の中心線と一致させて設けることは、実施の形態１と同様である。
【００２６】
本発明は、上述のように構成し、例えば押しボタンスイッチの接続に使用する場合には、図１０に示すように、押しボタンスイッチ４の端子４０に、直接に端子接続板保持部２８と端子接続板１３の間に挿入して接続を行うが、ホルダー４１を押しボタンスイッチ４に取付け、このホルダー４１に保持部材Ｃを装着することで、端子４０と端子接続板保持部２８と端子接続板１３との挿着を確実に行うことが出来る。
【産業上の利用可能性】
【００２７】
本発明の小型電機部品に使用する端子接続構造は、押しボタンスイッチ等小型の電気機器に利用することができる。
【符号の説明】
【００２８】
Ａ  導電接続部材
１０  基端側接続板
１００  基端圧接溝
１０１  基端圧接溝
１０２  基端圧接溝
１１    接続側板接続側板
１１０  係止突起
１２    先端側接続片
１２０  先端側圧接隙間
１２１  先端側圧接隙間
１２２  先端側圧接隙間
１３    端子接続板
１４    先端側中央接続片
Ｂ  接続電線
ｂ１  導線芯線部
ｂ２  被覆材
Ｃ  保持部材
２０    導電接続部材収納部
２１    導電接続部材係止部穴
２２、２４、２５    接続電線基端部位置決部
２３、２６、２７    接続電線先端位置決穴
２８    端子接続板保持部
【図１】
0005822598.tif 000002
【図２】
0005822598.tif 000003
【図３】
0005822598.tif 000004
【図４】
0005822598.tif 000005
【図５】
0005822598.tif 000006
【図６】
0005822598.tif 000007
【図７】
0005822598.tif 000008
【図８】
0005822598.tif 000009
【図９】
0005822598.tif 000010
【図１０】
0005822598.tif 000011